(57)【要約】      （修正有）【課題】空気清浄器の騒音および振動をなくすとともに、ランニングコストを小さくする。【解決手段】空気清浄器は、内側に対向する２面を有するとともに上・下部に空気の吐出口５と吸入口４が形成された筐体１と、筐体１内の対向する２面の間に縦または横方向に配列された蛍光管７と、筐体１内の対向する２面の一方または両方の面に貼着された光触媒膜６とを備える。前記光触媒としてアパタイト被覆二酸化チタンを用い、また、筐体１の後面に額縁の裏面を取り付ける。このとき、額縁の上下幅を筐体１の上下幅よりも大きくするとともに、筺体の背面下端の角部を切り落として面取りする。なお、筐体１への額縁の取り付けには両面粘着テープまたは面ファスナーを用いて額縁を着脱自在にする。【選択図】図３
0003104509.tif 000002
【実用新案登録請求の範囲】
【請求項１】
内側に対向する２面を有するとともに上・下部に空気の吐出口と吸入口が形成された筐体と、
該筐体内の対向する２面の間に縦または横方向に配列された蛍光管またはＵＶ管と、
前記筐体内の対向する２面の一方または両方の面に貼着された光触媒膜と、
を備えたことを特徴とする空気清浄器。
【請求項２】
請求項１に記載の空気清浄器において、
前記光触媒としてアパタイト被覆二酸化チタンを用いたことを特徴とする空気清浄器。
【請求項３】
請求項１または２に記載の空気清浄器において、
前記筐体の後面に額縁の裏面を取り付けたことを特徴とする空気清浄器。
【請求項４】
請求３に記載の空気清浄器において、
前記額縁の上下幅を前記筐体の上下幅よりも大きくするとともに、筺体の背面下端の角部を切り落として面取りを施したことを特徴とする空気清浄器。
【請求項５】
請求項３または４のいずれかに記載の空気清浄器において、
前記筐体への前記額縁の取り付けに両面粘着テープまたは面ファスナーを用いて額縁を着脱自在にしたことを特徴とする空気清浄器。
【考案の詳細な説明】
【技術分野】
【０００１】
本考案は、空気清浄器に関し、詳しくは、室内に設置されて、対流により汚染空気を取り込み光触媒により浄化して排出する空気清浄器に関する。
【背景技術】
【０００２】
従来、室内に設置して室内の汚染空気を光触媒により浄化する空気清浄装置として、特許文献１に記載の「空気清浄装置」がある。これは、室内の隅の部分等に設置されて、送風機を用いて下部から空気を吸入し、内部で光触媒により汚染空気を浄化し、上部から清浄になった空気を吹き出す構造をしている。
【特許文献１】特開２００３−３０７３２８号公報
【考案の開示】
【考案が解決しようとする課題】
【０００３】
上述した空気清浄装置は、光触媒を用いたことで汚染空気を効率よく浄化することができるものの、モーターにより駆動される送風機を備えたことで、騒音や振動が発生するとともに、モーターが電力を消費するためランニングコストが大きくなるという問題があった。そこで、本発明は、送風機を有しないことで騒音、振動がなく、しかもランニングコストがわずかですむ空気清浄器を提供することを目的とした。
【課題を解決するための手段】
【０００４】
上記課題を解決するために、本考案に係る空気清浄器は、内側に対向する２面を有するとともに上・下部に空気の吐出口と吸入口が形成された筐体と、該筐体内の対向する２面の間に縦または横方向に配列された蛍光管またはＵＶ管と、前記筐体内の対向する２面の一方または両方の面に貼着された光触媒膜とを備える。
ここで、前記光触媒としてアパタイト被覆二酸化チタンを用いる。
さらに、前記筐体の後面に額縁の裏面を取り付けるとともに、前記額縁の上下幅を前記筐体の上下幅よりも大きくし、筺体の背面下端の角部を切り落として面取りを施す。
また、前記筐体への前記額縁の取り付けに両面粘着テープまたは面ファスナーを用いて額縁を着脱自在にする。
【考案の効果】
【０００５】
以上述べたように本考案によれば、上・下部に空気の吐出口と吸入口が形成された筐体内に、ＵＶ管または蛍光管を配列したことで、ＵＶ管または蛍光管の発熱により自然対流が発生し、筐体下部の吸入口から汚染空気が吸入され、光触媒膜により汚染物質が除去されて清浄な空気になってから筐体上部の吐出口から排出される。すなわち、ファン用のモーターが設けられないため騒音、振動が発生することなく、空気の浄化が行われるとともに、消費電力もＵＶ管または蛍光管の点灯分だけですみランニングコストが小さくなる効果が得られる。また、筐体を額縁に取り付けた場合は、空気清浄器が室内装飾品として壁面に取り付けられて、室内の美観を損なうことがなくなる。
【考案を実施するための最良の形態】
【０００６】
以下、図に基づいて本考案の実施形態を説明する。図１は本考案に係る空気清浄器の一例を示す正面図であり、図２は図１のＡ−Ａ線断面図であり、図３は図１のＢ−Ｂ線断面図であり、図４は図１の空気清浄器を壁に取り付けた状態を示す側面図である。これらの図において、１は偏平な筐体であり、下端近くの内部が水平方向の隔壁により仕切られて、上部に処理室２が、下部に制御室３が形成されている。処理室２の前面壁の下端には吸入口４が上端には吐出口５が形成されている。互いに対向する処理室２の前面壁の内面と後面壁の内面には、光触媒であるアパタイト被覆二酸化チタンを塗布した耐熱プラスチック膜６が貼り付けられている。
【０００７】
処理室２の内部には、後面壁に上下端部が支持されて３本の蛍光管７が縦方向に配置されている。この蛍光管７には、８Ｗの容量のものを使用している。制御室３の内部には、蛍光管７に付随する安定器等の部品や、コントロール部品が収納されている。制御室３の左側外面には、蛍光管７を点灯させるスイッチ８と点灯状態を表示するランプ９が配置されている。筐体１の後面には、筐体１よりも大きい額縁１１の裏面が、面ファスナーまたは両面粘着テープにより着脱自在に取り付けられている。
【０００８】
このように構成された空気清浄器は、図４のように室内の壁面上部に、図示しない金具や吊りひもにより取り付けられる。同時に、空気清浄器に付属する電源コード（図示せず）をコンセントに接続する。ここで、スイッチ８をオンすると、処理室２内の蛍光管７が点灯される。蛍光管７の点灯は、ランプ９の点灯表示により確認される。点灯された蛍光管７は光線を出射するとともに発熱し、処理室２内の空気を暖める。暖められた空気は、比重が軽くなり上昇して、処理室２上端の吐出口５から外部へ排出される。同時に、処理室２下端の吸入口４から室内の空気が吸入され、処理室２を通過する対流が発生する。
【０００９】
処理室２内に吸入された空気には、室内の微小な汚染物質が含まれており、それらは処理室２内に貼着されている耐熱プラスチック膜６表面のアパタイト被覆二酸化チタンに吸着される。同時に、アパタイト被覆二酸化チタンには、蛍光管７からの光線が照射されて光励起され、汚染物質を分解脱臭する。このようにして、吸入口４から吸入された汚染物質を含む空気が分解脱臭されて清浄な空気となり、吐出口５から排出されることにより、室内の空気が浄化される。このとき、空気の循環の動力は、蛍光管７の発熱だけで、モーターを用いないため、騒音および振動が発生することがない。なお、図４では、筺体１の背面下端の角部と、額縁１１の背面下端の角部を切り落として面取りが施してある。この筺体１の面取りを施したことで、額縁１１に対する筺体１の位置を、上部だけでなく下部にも配置することができ、額縁１１と筺体１との位置関係がより自由になる。
【００１０】
この空気清浄器は背面に、額縁１１が着脱自在に取り付けられているため、空気清浄器自体が前方から見えず、室内の美観を損なうことがない。また、額縁１１は着脱自在に取り付けられているため、交換が自在であるし、額縁１１を外した空気清浄器単体で壁面に取り付けることも可能である。なお、上述した実施形態では、光源と発熱源として蛍光管７を用いたが、ＵＶ管を用いることも可能である。また、蛍光管７の配列を縦方向でなく横方向にすることも可能である。
【００１１】
さらに、吸入口４および吐出口５の設置位置も、筐体１の前面に限定されるものではなく、上下面、側面等に設けることも可能である。このとき、吸入口４および吐出口５から蛍光管７の光が漏れないように、形状および位置を考慮する。特に、吸入口４が形成される筐体１の下端部は、壁面と額縁１１に挟まれた狭い空間であるため、角部分を切り取った形状に形成することも可能である。また、制御室３の部分には、スイッチ８とランプ９の２個が配設されているが、３本の蛍光管７をそれぞれ個別に点灯制御したい場合は、スイッチ８とランプ９をそれぞれ３個配設する。
【産業上の利用可能性】
【００１２】
本考案は、室内に設置して室内用の空気清浄器として利用する以外には、地下道、トンネル等の汚染された空気が滞留しやすい空間に設置する空気清浄器にも利用可能である。
【図面の簡単な説明】
【００１３】
【図１】本考案に係る空気清浄器の一例を示す正面図である。
【図２】図１のＡ−Ａ線断面図である。
【図３】図１のＢ−Ｂ線断面図である。
【図４】図１の空気清浄器を壁に取り付けた状態を示す側面図である。
【符号の説明】
【００１４】
１  筐体
２  処理室
３  制御室
４  吸入口
５  吐出口
６  耐熱プラスチック膜
７  蛍光管
８  スイッチ
９  ランプ
１１  額縁
【図１】
0003104509.tif 000003
【図２】
0003104509.tif 000004
【図３】
0003104509.tif 000005
【図４】
0003104509.tif 000006